(57)【要約】【課題】照度の均一性と外光に負けない照度また光色の同一機器内の均一性および量産個体差バラツキの最小化が要求されている。また昨今ではデザイン的な新しさを提供する手法として従来にない光色を表現することが要望されているが、従来手法では光源であるＬＥＤの特性上、光色の同一機器内の均一性および量産個体差バラツキの最小化が極めて困難であり、また照明構成上の導光板による点光源を面発光に変換する必要性から高度な導光板作成ノウハウを要していた。また発光色を変える場合ＬＥＤ発光色を変える必要があるため、製造上ＬＥＤ色毎に実装済みプリント配線基板を管理する必要がある。【解決手段】本発明の釦照明装置は、前面に光色を任意に変化させるカラーフィルターを備え、背面に反射シートを備える面発光蛍光表示管とその前部に配置された光透過可能な操作部により構成したものである。【選択図】  図３
2004319163.tif 000002
【特許請求の範囲】
【請求項１】
面発光蛍光表示管とその前部に配置された光透過可能な操作部により構成されることを特徴とする釦照明装置。
【請求項２】
面発光表示管背面に反射シートを備えることを特徴とする請求項１記載の釦照明装置。
【請求項３】
面発光表示管前面に光色を任意に変化させるカラーフィルターを備えることを特徴とする請求項１記載の釦照明装置。
【発明の詳細な説明】
【０００１】
【発明の属する技術分野】
本発明は、音響機器・映像機器・通信機器等の釦認識を容易ならしめるまたはデザイン的イメージを向上ならしめる釦照明装置に関するものである。
【０００２】
【従来の技術】
図７は従来の釦照明装置の平面図を示すものである。また、図８は図７の従来の釦照明装置の上断面図を示すものである。また、図９は図７の従来の釦照明装置のフロントパネル、釦を取り除いた主要構成図を示すものである。図７，８，９において、フロントパネル１の釦開口孔より操作部をのぞかせるように光透過性材料で構成された釦３が配置されており、釦３にはそれら釦３中央部一部に光非透過材料で構成された釦飾り４が固定されている。また釦３の背面にはフロントパネル１のボス１ａにネジで固定されたプリント配線基板５上に固定爪１２ａで導光板ホルダー１２が固定され、また導光板ホルダー１２には導光板１３および導光板１３両端にＬＥＤ１１が配置されている。このような釦照明装置においてはＬＥＤ１１よりの点発光を導光板１３にて面発光に変換し釦３背面より光を発光することで釦照明するように構成されている。
【０００３】
また、関連する文献としては以下のものがある。
【０００４】
【特許文献１】
登録実用新案１９９８５４４号公報
【０００５】
【発明が解決しようとする課題】
このような釦照明装置においては、照明の均一性と外光に負けない照度、また光色の同一機器内の均一性および量産個体差バラツキの最小化が要求されている。また昨今ではデザイン的な新しさを提供する手法として従来にない光色を表現することが要望されているが、従来手法では光源であるＬＥＤの特性上、光色の同一機器内の均一性および量産個体差バラツキの最小化が極めて困難であり、また導光板により点光源を面発光に変換する必要性から高度な導光板作成ノウハウを要していた。また発光色を変える場合ＬＥＤ発光色を変える必要があるため、製造上ＬＥＤ色毎に実装済みプリント配線基板を管理する必要がある。
【０００６】
本発明は、照明の均一性と外光に負けない照度また光色の同一機器内の均一性および量産個体差バラツキの最小化ならしめ、高度な導光板ノウハウを必要とせず、かつ生産管理をも容易にする釦照明装置を提供することを目的としてなされたものである。
【０００７】
【課題を解決するための手段】
この課題を解決するために本発明の釦照明装置は、前面に光色を任意に変化させるカラーフィルターを備え、背面に反射シートを備える面発光蛍光表示管とその前部に配置された光透過可能な操作部により構成したものである。
【０００８】
これにより、照明の均一性と外光に負けない照度また光色の同一機器内の均一性および量産個体差バラツキの最小化、またデザイン的に任意の光色の表現、また製造上ＬＥＤ色毎に実装済みプリント配線基板管理を不要とする釦照明装置が得られる。
【０００９】
【発明の実施の形態】
本発明の請求項１に記載の発明は、面発光蛍光表示管とその前部に配置された光透過可能な操作部により構成されることを特徴とする釦照明装置としたものであり、高度な導光板ノウハウを必要とせず照明の均一性と外光に負けない照度また光色の同一機器内の均一性および量産個体差バラツキの最小化するという作用を有する。
【００１０】
請求項２に記載の発明は、面発光表示管背面に反射シートを備えることを特徴とする請求項１記載の釦照明装置としたものであり、照度の均一性を向上せしめかつ面発光表示管発光を最大限活用するという作用を有する。
【００１１】
請求項３に記載の発明は、面発光表示管前面に光色を任意に変化させるカラーフィルターを備えることを特徴とする請求項１記載の釦照明装置としたものでありデザイン的に任意の光色を表現しかつ、製造上実装済みプリント配線基板管理を不要とするという作用を有する。
【００１２】
以下本発明の実施の形態について、図１から図６を用いて説明する。
【００１３】
（実施の形態）
図１は本発明の実施の形態における釦照明装置の平面図を示し、図２は本発明の実施の形態における釦照明装置の上断面図を示し、図３は本発明の実施の形態における釦照明装置の横断面図を示し、図４は本発明の実施の形態における釦照明装置のフロントパネルを取り除いた主要構成図を示し、図５は本発明の実施の形態における釦照明装置フロントパネルおよび釦を取り除いた状態の主要構成図を示し、図６は本発明の実施の形態における釦照明装置のフロントパネルを取り除いた主要構成図４の横断面図を示している。図１〜図３において、４箇所の操作部を持ち透光性を持つ釦３の背面には蛍光表示管７が構成されている。具体的には、蛍光表示管７はフロントパネル１にボス１ａにネジ固定されたプリント配線基板５上に固定爪８ａによりホルダー８により位置決め固定されている。一方、透光性を持つ釦３も同様にフロントパネル１と一体に成型された釦位置決めピン１ｂにより、フロンとパネル１を取り除いた図４の釦照明装置の主要構成図で示された位置決め孔３ａにて位置決めされプリント配線基板５上で蛍光表示管７に隣接するように配置されたタッチＳＷ６を動作ならしめるＳＷ押し部３ｂを一体に持ちプリント配線基板７とフロントパネル１の間に挟み固定されている。この時、蛍光表示管７は面発光部７ａを持ち、図４に示すように面発光部７ａが釦３の４箇所の操作部の範囲より同等またはやや広い範囲を持っている。また蛍光表示管７とプリント配線基板５間には蛍光表示管とほぼ同等面積で面発光部より十分大きい面積の白色の反射シート９が配置されている。また釦３と蛍光表示管７の間には光透過し、」紫色に調色されたカラーフィルター１０が配置されている。また釦３の４個の操作部中央部にはそれぞれ光非透過の釦飾り４が勘合固定され投光により釦３のそれぞれの操作部がリング状に照明されるように構成している。
【００１４】
以上のように構成された釦照明装置について、以下その照明動作について説明する。
【００１５】
まず蛍光表示管７の面発光部７ａより発光されるグリーン蛍光体による光は釦３の方向に直接発光すると同時にプリント配線基板５の方向にも発光する。プリント配線基板５方向に発光した光は反射シート９により反射し、蛍光表示管７の面発光部７ａの周囲より釦方向に進み、これまた釦照明に寄与することとなる。これら直接光・反射光は光透過し、紫色に調色されたカラーフィルターによりライトブルー色に変換され、釦３のそれぞれの操作部周囲を照明することとなる。
【００１６】
本実施例では、発光面にグリーン蛍光体をもつ蛍光表示管と光透過し、紫色に調色されたカラーフィルターを組み合わせてライトブルー色を得ているが、同一蛍光表示管でもピンクフィルターとすれば白色を得ることができ、その他フィルター色により任意の発光色とすることができる。また蛍光表示管の蛍光体を任意の蛍光体とすることでもまた異なる発光色とすることができる。
【００１７】
以上のように本実施形態によれば、発光源自身が面発光・単一光源であり、かつ釦方向と逆に発光した光も反射シートで有効に活用することでより照度の均一性と外光に負けない照度また光色の同一機器内の均一性および照明色は蛍光表示管の蛍光体とカラーフィルター色のみにより決定されるため量産個体差バラツキの最小化、また蛍光体とカラーフィルターの任意の組み合わせで任意の発光色を得ることができるためデザイン的に従来にない光色の表現を可能とし、また発光色を同一蛍光表示管でカラーフィルター色のみを変更することで発光色の変化を与えられるため製造上実装済みプリント配線基板品種は１種類でよいこととなり、実装済みプリント配線基板品種管理を不要とする釦照明装置ができることとなる。
【００１８】
【発明の効果】
以上のように本発明によれば、照明の均一性と外光に負けない照度また光色の同一機器内の均一性および量産個体差バラツキの最小化、またデザイン的に任意の光色の表現、また製造上ＬＥＤ色毎に実装済みプリント配線基板管理を不要とする釦照明装置が得られるという有利な効果が得られる。
【図面の簡単な説明】
【図１】本発明の一実施の形態による釦照明装置の平面図
【図２】本発明の一実施の形態による釦照明装置の上断面図
【図３】本発明の一実施の形態による釦照明装置の横断面図
【図４】本発明の一実施の形態による釦照明装置の主要構成図
【図５】本発明の一実施の形態による釦照明装置の主要構成図
【図６】本発明の一実施の形態による釦照明装置の主要構成図４における断面図
【図７】従来の釦照明装置の平面図
【図８】従来の釦照明装置の上断面図
【図９】従来の釦照明装置の主要構成図
【符号の説明】
１  フロントパネル
１ａ  ボス
１ｂ  釦位置決めピン
２  アルミ飾り
３  釦
３ａ  位置決めピン
３ｂ  ＳＷ押し部
４  釦飾り
５  プリント配線基板
５ａ  固定孔
６  タッチＳＷ
７  蛍光表示管
７ａ  面発光部
８  ホルダー
８ａ  固定爪
９  反射シート
１０  カラーフィルター
１１  ＬＥＤ
１２  導光板ホルダー
１２ａ  固定爪
１３  導光板
【図１】
2004319163.tif 000003
【図２】
2004319163.tif 000004
【図３】
2004319163.tif 000005
【図４】
2004319163.tif 000006
【図５】
2004319163.tif 000007
【図６】
2004319163.tif 000008
【図７】
2004319163.tif 000009
【図８】
2004319163.tif 000010
【図９】
2004319163.tif 000011